【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
スクロール可能広告ユニットをオンライン・システムのユーザに関連付けられているクライアント・デバイスに提供する工程であって、前記スクロール可能広告ユニットは複数の広告と、前記クライアント・デバイスの表示の一部分を占める表示領域とを備え、前記表示は、前記スクロール可能広告ユニットに加えてウェブ・コンテンツを提示し、前記表示領域は、前記複数の広告のうちの第１の広告を前記ユーザに提示し、前記表示領域は、前記複数の広告のうちの１つを４つの直交方向のうちの１つから前記表示領域内にスクロールさせるとともに、前記第１の広告を前記表示により提示される前記ウェブ・コンテンツをスクロールすることなく前記表示領域の外へスクロールさせる入力をユーザから受け取るように構成されており、広告は前記４つの直交方向のうちの任意の方向から前記表示領域内へスクロールさせられることが可能である、工程と、
前記表示領域における前記広告の位置に関連付けられている情報を取り出す工程と、
広告インプレッションを前記表示領域における前記広告に対して与えるための１つ以上の規則を適用する工程であって、前記規則のうちの少なくとも１つは前記表示領域における前記広告の前記位置に少なくとも部分的に基づく、工程と、
前記広告インプレッションを与えるための前記規則のうちの１つ以上が前記表示領域における前記広告によって満たされる場合、前記表示領域における前記広告に関連付けられているトラッキング機構をロードする工程と、
前記広告インプレッションを与えるための前記規則のうちの１つ以上が前記表示領域における前記広告によって満たされる場合、前記広告インプレッションを前記表示領域における前記広告に対して与える工程と、を備える方法。
【請求項２】
前記表示領域における前記広告に関連付けられている対話を受け取る工程をさらに備える、請求項１に記載の方法。
【請求項３】
前記表示領域における前記広告に関連付けられている前記対話は、前記スクロール可能広告ユニットに含まれる１つ以上の広告を前記表示領域を通じて水平にスクロールすることと、前記スクロール可能広告ユニットに含まれる１つ以上の広告を前記表示領域を通じて垂直にスクロールすることと、これらの任意の組合せとから成るグループから選択される、請求項２に記載の方法。
【請求項４】
前記表示領域における前記広告に関連付けられている前記対話は前記広告に対し好みを示すことを含む、請求項２に記載の方法。
【請求項５】
前記広告インプレッションを前記表示領域における前記広告に対して与えるための前記１つ以上の規則は、前記広告が前記表示領域において完全に提示される場合、前記インプレッションを与えることと、前記広告のうちの閾値割合以上が前記表示領域に提示される場合、前記インプレッションを与えることと、前記ユーザが前記表示領域における前記広告と対話する場合、前記インプレッションを与えることと、前記ユーザが前記表示領域に提示される前記広告から閾値速度以下の速度でナビゲートする場合、前記インプレッションを与えることと、これらの任意の組合せとから成るグループから選択される、請求項１に記載の方法。
【請求項６】
前記オンライン・システムはソーシャル・ネットワーキング・システムである、請求項１に記載の方法。
【請求項７】
前記複数の広告は、前記ソーシャル・ネットワーキング・システムによって維持されるコンテンツに関連付けられている１つ以上の記事を含む、請求項６に記載の方法。
【請求項８】
前記スクロール可能広告ユニットの前記表示領域において前記複数の広告からの追加の広告を提示する工程であって、前記追加の広告はトラッキング機構に関連付けられていない工程をさらに備える、請求項１に記載の方法。
【請求項９】
前記スクロール可能広告ユニットに含まれる前記複数の広告のうちの１つ以上を、前記ユーザが対話した広告に関するコンテンツに関連付けられている１つ以上の広告に置き換える工程をさらに備える、請求項１に記載の方法。
【請求項１０】
前記表示領域における前記広告に関連付けられている前記トラッキング機構をロードする工程は、
前記表示領域における前記広告に関連付けられているトラッキング・ピクセルをロードする工程を含む、請求項１に記載の方法。
【請求項１１】
スクロール可能広告ユニットをオンライン・システムのユーザに関連付けられているクライアント・デバイスに提供する工程であって、前記スクロール可能広告ユニットは複数の広告と、前記クライアント・デバイスの表示の一部分を占める表示領域とを備え、前記表示は、前記スクロール可能広告ユニットに加えてウェブ・コンテンツを提示し、前記表示領域は、前記複数の広告のうちの第１の広告を前記ユーザに提示し、前記表示領域は、前記複数の広告のうちの１つを４つの直交方向のうちの１つから前記表示領域内にスクロールさせるとともに、前記第１の広告を前記表示により提示される前記ウェブ・コンテンツをスクロールすることなく前記表示領域の外へスクロールさせる入力をユーザから受け取るように構成されており、広告は前記４つの直交方向のうちの任意の方向から前記表示領域内へスクロールさせられることが可能である、工程と、
前記表示領域に提示される前記広告に関連付けられている対話を受け取る工程と、
広告インプレッションを前記表示領域に提示される前記広告に対して与えるための１つ以上の規則を適用する工程と、
前記広告インプレッションを与えるための前記規則のうちの１つ以上が前記表示領域に提示される前記広告によって満たされる場合、前記表示領域に提示される前記広告に関連付けられているトラッキング機構をロードする工程と、を備える方法。
【請求項１２】
前記広告インプレッションを与えるための前記規則のうちの１つ以上が前記表示領域に提示される前記広告によって満たされる場合、前記広告インプレッションを前記表示領域
に提示される前記広告に対して与える工程をさらに備える、請求項１１に記載の方法。
【請求項１３】
前記表示領域に提示される前記広告に関連付けられている前記対話は、前記スクロール可能広告に含まれる前記１つ以上の広告を前記表示領域を通じて水平にスクロールすることと、前記スクロール可能広告に含まれる前記１つ以上の広告を前記表示領域を通じて垂直にスクロールすることと、これらの任意の組合せとから成るグループから選択される、請求項１１に記載の方法。
【請求項１４】
前記広告に関連付けられている前記対話は、前記表示領域に提示される前記広告に対し好みを示すことと、前記表示領域に提示される前記広告にアクセスすることとから成るグループから選択される、請求項１１に記載の方法。
【請求項１５】
前記広告インプレッションを前記表示領域における前記広告に対して与えるための前記１つ以上の規則は、前記広告が前記表示領域において完全に提示される場合、前記インプレッションを与えることと、前記広告のうちの閾値割合以上が前記表示領域に提示される場合、前記インプレッションを与えることと、前記ユーザが前記表示領域における前記広告と対話する場合、前記インプレッションを与えることと、前記ユーザが前記表示領域に提示される前記広告から閾値速度以下の速度でナビゲートする場合、前記インプレッションを与えることと、これらの任意の組合せとから成るグループから選択される、請求項１１に記載の方法。
【請求項１６】
前記オンライン・システムはソーシャル・ネットワーキング・システムである、請求項１１に記載の方法。
【請求項１７】
前記複数の広告は、前記ソーシャル・ネットワーキング・システムによって維持されるコンテンツに関連付けられている１つ以上の記事を含む、請求項１６に記載の方法。
【請求項１８】
前記スクロール可能広告ユニットの前記表示領域において前記複数の広告からの追加の広告を提示する工程であって、前記追加の広告はトラッキング機構に関連付けられていない工程をさらに備える、請求項１１に記載の方法。
【請求項１９】
前記スクロール可能広告ユニットに含まれる前記複数の広告のうちの１つ以上を、前記ユーザが対話した広告に関するコンテンツに関連付けられている１つ以上の広告に置き換える工程をさらに備える、請求項１１に記載の方法。
【請求項２０】
前記表示領域における前記広告に関連付けられている前記トラッキング機構をロードする工程は、
前記表示領域における前記広告に関連付けられているトラッキング・ピクセルをロードする工程を含む、請求項１１に記載の方法。